(57)【特許請求の範囲】
【請求項１】
ウォブルの位相変調により表現された第１のアドレス情報によって各々のＥＣＣブロックのアドレスが示される第１のディスク状記録媒体と、
ランドトラック上に設けられた突起により表現された第２のアドレス情報によって各々のＥＣＣブロックのアドレスが示される第２のディスク状記録媒体と、に対し、データをＥＣＣブロック単位で記録するディジタル信号記録装置において、
前記第１のディスク状記録媒体から前記第１のアドレス情報を検出する第１の検出手段と、
該第１の検出手段によって検出された第１のアドレス情報を前記第２のアドレス情報に変換する変換手段と、
前記変換された第２のアドレス情報から前記第１のディスク状記録媒体におけるＥＣＣブロックのアドレスを検出する第２の検出手段と、
を具備したことを特徴とするディジタル信号記録装置。
【請求項２】
ウォブルの位相変調により表現された第１のアドレス情報によって各々のＥＣＣブロックのアドレスが示される第１のディスク状記録媒体と、
ランドトラック上に設けられた突起により表現された第２のアドレス情報によって各々のＥＣＣブロックのアドレスが示される第２のディスク状記録媒体と、に対し、データをＥＣＣブロック単位で記録するディジタル信号記録再生装置において、
前記第１のディスク状記録媒体から前記第１のアドレス情報を検出する第１の検出手段と、
該第１の検出手段によって検出された第１のアドレス情報を前記第２のアドレス情報に変換する変換手段と、
前記変換された第２のアドレス情報から前記第１のディスク状記録媒体におけるＥＣＣブロックのアドレスを検出する第２の検出手段と、
を具備し、第１のディスク状記録媒体への記録時にはＥＣＣブロックのアドレスを前記第２の検出手段により検出することを特徴とするディジタル信号記録再生装置。
【請求項３】
ウォブルの位相変調により表現された第１のアドレス情報によって各々のＥＣＣブロックのアドレスが示される第１のディスク状記録媒体と、
ランドトラック上に設けられた突起により表現された第２のアドレス情報によって各々のＥＣＣブロックのアドレスが示される第２のディスク状記録媒体と、に対し、データをＥＣＣブロック単位で記録するディジタル信号記録方法において、
前記第１のディスク状記録媒体から前記第１のアドレス情報を検出する第１の検出処理と、
該第１の検出手段によって検出された第１のアドレス情報を前記第２のアドレス情報に変換する変換処理と、
前記変換された第２のアドレス情報から前記第１のディスク状記録媒体におけるＥＣＣブロックのアドレスを検出する第２の検出処理と、
を行うことを特徴とするディジタル信号記録方法。
【請求項４】
ウォブルの位相変調により表現された第１のアドレス情報によって各々のＥＣＣブロックのアドレスが示される第１のディスク状記録媒体と、
ランドトラック上に設けられた突起により表現された第２のアドレス情報によって各々のＥＣＣブロックのアドレスが示される第２のディスク状記録媒体と、から、データをＥＣＣブロック単位で再生するディジタル信号再生方法において、
前記第１のディスク状記録媒体から前記第１のアドレス情報を検出する第１の検出処理と、
該第１の検出手段によって検出された第１のアドレス情報を前記第２のアドレス情報に変換する変換処理と、
前記変換された第２のアドレス情報から前記第１のディスク状記録媒体におけるＥＣＣブロックのアドレスを検出する第２の検出処理と、
を行うことを特徴とするディジタル信号再生方法。
【請求項５】
ランドトラック上に設けられた突起により表現された第１のアドレス情報によって各々のＥＣＣブロックのアドレスが示される第１のディスク状記録媒体と、
ウォブルの位相変調により表現された第２のアドレス情報によって各々のＥＣＣブロックのアドレスが示される第２のディスク状記録媒体と、
に対し、データをＥＣＣブロック単位で記録するディジタル信号記録装置において、
前記第１のディスク状記録媒体から前記第１のアドレス情報を検出する第１の検出手段と、
該第１の検出手段によって検出された第１のアドレス情報を前記第２のアドレス情報に変換する変換手段と、
前記変換された第２のアドレス情報から前記第１のディスク状記録媒体におけるＥＣＣブロックのアドレスを検出する第２の検出手段と、
を具備したことを特徴とするディジタル信号記録装置。
【請求項６】
ランドトラック上に設けられた突起により表現された第１のアドレス情報によって各々のＥＣＣブロックのアドレスが示される第１のディスク状記録媒体と、
ウォブルの位相変調により表現された第２のアドレス情報によって各々のＥＣＣブロックのアドレスが示される第２のディスク状記録媒体と、
に対し、データをＥＣＣブロック単位で記録するディジタル信号記録再生装置において、
前記第１のディスク状記録媒体から前記第１のアドレス情報を検出する第１の検出手段と、
該第１の検出手段によって検出された第１のアドレス情報を前記第２のアドレス情報に変換する変換手段と、
前記変換された第２のアドレス情報から前記第１のディスク状記録媒体におけるＥＣＣブロックのアドレスを検出する第２の検出手段と、
を具備し、第１のディスク状記録媒体への記録時にはＥＣＣブロックのアドレスを前記第２の検出手段により検出することを特徴とするディジタル信号記録再生装置。
【請求項７】
ランドトラック上に設けられた突起により表現された第１のアドレス情報によって各々のＥＣＣブロックのアドレスが示される第１のディスク状記録媒体と、ウォブルの位相変調により表現された第２のアドレス情報によって各々のＥＣＣブロックのアドレスが示される第２のディスク状記録媒体と、
に対し、データをＥＣＣブロック単位で記録するディジタル信号記録方法において、
前記第１のディスク状記録媒体から前記第１のアドレス情報を検出する第１の検出処理と、
該第１の検出手段によって検出された第１のアドレス情報を前記第２のアドレス情報に変換する変換処理と、
前記変換された第２のアドレス情報から前記第１のディスク状記録媒体におけるＥＣＣブロックのアドレスを検出する第２の検出処理と、
を行うことを特徴とするディジタル信号記録方法。
【請求項８】
ランドトラック上に設けられた突起により表現された第１のアドレス情報によって各々のＥＣＣブロックのアドレスが示される第１のディスク状記録媒体と、
ウォブルの位相変調により表現された第２のアドレス情報によって各々のＥＣＣブロックのアドレスが示される第２のディスク状記録媒体と、
から、データをＥＣＣブロック単位で再生するディジタル信号再生方法において、
前記第１のディスク状記録媒体から前記第１のアドレス情報を検出する第１の検出処理と、
該第１の検出手段によって検出された第１のアドレス情報を前記第２のアドレス情報に変換する変換処理と、
前記変換された第２のアドレス情報から前記第１のディスク状記録媒体におけるＥＣＣブロックのアドレスを検出する第２の検出処理と、
を行うことを特徴とするディジタル信号再生方法。
【請求項９】
第１の形式で表現された第１のアドレス情報を有する第１の記録媒体と、第２の形式で表現された第２のアドレス情報を有する第２の記録媒体と、に対しデータの記録が可能な信号記録装置であって、
前記第１の形式で表現されたアドレス情報を検出する第１の検出手段と、
前記第２の形式で表現されたアドレス情報を検出する第２の検出手段と、
前記第１の形式で表現された第１のアドレス情報を前記第２の形式の表現に変換する変換手段と、
を備えたことを特徴とする信号記録装置。
【請求項１０】
請求項９に記載の信号記録装置において、
前記第1の記録媒体は、ＤＶＤ＋ＲＷであり、前記第２の記録媒体はＤＶＤ−ＲＷであることを特徴とする信号記録装置。
【請求項１１】
請求項９に記載の信号記録装置において、
前記第1の記録媒体は、ＤＶＤ−ＲＷであり、前記第２の記録媒体はＤＶＤ＋ＲＷであることを特徴とする信号記録装置。
【請求項１２】
請求項９に記載の信号記録装置において、
前記第１の検出回路と前記変換手段とは第１の集積回路に収められており、前記第２の検出回路は第２の集積回路に収められていることを特徴とする信号記録装置。
【請求項１３】
請求項９に記載の信号記録装置において、
前記第１の検出回路、前記第２の検出回路、前記変換手段、は全て同一の集積回路に収められていることを特徴とする信号記録装置。
【発明の詳細な説明】
【０００１】
【発明の属する技術分野】
本発明は、ディスク状記録媒体に対するディジタル信号の記録再生装置に関するものであり、特に異なる記録フォーマットをとる複数種類のディスク状記録媒体への記録再生を行う装置に関する。
【０００２】
【従来の技術】
記録可能な光ディスクとしてＣＤ−Ｒ，ＣＤ−ＲＷ，ＤＶＤ−ＲＡＭ，ＤＶＤ−ＲＷ，ＤＶＤ−Ｒ，ＤＶＤ＋ＲＷ等が挙げられる。これらのうち、ＣＤ−Ｒの構造については「ＣＤ技術のすべて（電波新聞社版）」の259P-261Pに記載されている。ＤＶＤ−ＲＡＭの構造については「ＤＶＤ-ＲＡＭ技術（トリケップス社版）」の19P-20Pに記載されている。ＤＶＤ−Ｒの構造については同書の68P-69Pに記載されている。また、ＤＶＤ−ＲＷ、ＤＶＤ＋ＲＷの構造については「ＤＶＤ−ＲＡＭ革命（オーム社版）」の第6章及び第7章に記載されている。それぞれの文献に記載されているように、ＤＶＤ−ＲＡＭ，ＤＶＤ−ＲＷ，ＤＶＤ−Ｒ，ＤＶＤ＋ＲＷは、誤り訂正符号の付加、インターリーブ、変調規則などの記録フォーマットを共通のものとする。
【０００３】
しかしながら、媒体上の位置を示す情報の記録方式が異なり、ＤＶＤ−ＲＡＭではＰＩＤ（プリフォーマットＩＤ），ＤＶＤ−ＲＷではＬＰＰ（ランド・プリピット），ＤＶＤ＋ＲＷではＡＤＩＰ（アドレス・イン・プリグルーブ）の各方式により位置情報が記録されている。なお、ＡＤＩＰ方式とは各々のＥＣＣブロックのアドレスを示すアドレス情報を当該ＥＣＣブロック中にウォブル位相変調させて４個所に分散記録する方式であり、ＬＰＰ方式は各々のＥＣＣブロックのアドレスを示すアドレス情報を当該ＥＣＣブロック中にランドトラック上に設けられた突起により記録する方式である。
【０００４】
ここで、従来のディジタル信号記録装置を図４を用いて説明する。なお、本ディジタル信号記録装置は、ＤＶＤ−Ｒ，ＤＶＤ−ＲＷへのライトを可能とするものである。
【０００５】
図４において、１０１はディスク状記録媒体、１０２はディスク状記録媒体１０１を回転させるスピンドルモータ、１０３はディスク状記録媒体１０１に対し書き込み、読み出しを行う光ピックアップ、１０４は光ピックアップからの出力信号に対し、フィルタ、スライス（２値化処理）を行い、２値化されたＬＰＰ信号１０６を出力するアナログフロントエンド、である。
【０００６】
次にエンコーダ回路１１９について説明する。１１２はアナログフロントエンド１０４からＬＰＰ信号１０６として入力されたアドレス信号を検出するＬＰＰ検出回路であり、アドレス検出に従ったタイミング信号が変調回路（MODulator）１１１に送られる。変調回路１１１はＬＰＰ検出回路１１２からのタイミング信号に従って記録の開始終了を行う。
【０００７】
ここで、ＲＡＭ制御１１７から変調回路１１１に入力されるデータは以下の手順で処理される。まず入力端子１１８から画像データなどの記録すべきデータ（ユーザーデータ）が入力インターフェース１１５に入力される。入力インターフェースはＡＴＡＰＩ、ＳＣＳＩなどの汎用インターフェースであり外部機器と一定のプロトコルに従ってインターフェースをとりユーザーデータの入力を執り行う。入力インターフェース１１５からのユーザーデータはスクランブラ１１４に入力され、ＤＶＤフォーマットに従って、スクランブル処理が行われる。スクランブラ１１４はデータＩＤの付加、誤り検出符号の付加なども執り行う。スクランブラ１１４での処理が終了したデータは、一旦ＲＡＭ制御１１７を介しバッファＲＡＭ１２０に蓄えられる。バッファＲＡＭ１２０に蓄えられた、スクランブラ１１４での処理済みのデータは、ＲＡＭ制御１１７を介し誤り訂正符号付加回路に読み込まれ、誤り訂正符号の生成が行われる。生成された誤り訂正符号は、ＲＡＭ制御１１７を介しバッファＲＡＭ１２０に蓄えられる。訂正符号の生成が行われた後、ＬＰＰ検出回路１１２からのタイミング信号に従って、バッファＲＡＭ１２０からＲＡＭ制御１１７を介して変調回路１１１にデータが送られ、変調済みのデータがピック１０３に送られ、記録媒体１０１の所望の位置に対し書き込みが行われる。なお、サーボ回路１１６はディスクモータ１０２の回転制御とピックアップ１０３の位置制御を行う。
【０００８】
以上説明したように、従来のディジタル信号記録装置によりＤＶＤ−ＲおよびＤＶＤ−ＲＷの記録が可能である。しかし、本ディジタル信号記録装置ではＡＤＩＰ方式のアドレスを認識することができないため、ＤＶＤ＋ＲＷに対する記録処理を行うことができない。
【０００９】
【発明が解決しようとする課題】
記録可能な光ディスクに対するデータのライトを行うディスクドライブとしては、ＣＤ−Ｒ，ＣＤ−ＲＷ，ＤＶＤ−ＲＡＭ，ＤＶＤ−ＲＷ，ＤＶＤ−Ｒ，ＤＶＤ＋ＲＷの全てを記録可能とするディスクドライブ、ＤＶＤ−Ｒ、ＤＶＤ−ＲＷだけ記録可能なディスクドライブ，ＤＶＤ+ＲＷ，ＤＶＤ−ＲＷ，ＤＶＤ−Ｒの記録が可能なディスクドライブなど様々なバリエーションのディスクドライブが考えられ、今後、新たな規格の光ディスクが登場したときにはこのバリエーションがさらに増えるものと考えられる。これらのディスクドライブを実現するためには、媒体上の位置を示す情報を検出する回路（位置情報検出回路）として、それぞれの方式の位置情報に応じたものが必要となる。なお、この回路はエンコード処理回路等のディジタル処理回路とあわせてＬＳＩ化されるのが一般的であり、８０万ゲート程度の回路規模となるのが通例である。
【００１０】
このような様々なディスクドライブを実現する方法としては、それぞれの位置情報の方式に対応したＬＳＩを複数個設ける方法と、一つのＬＳＩにて複数の位置情報の方式に対応できるようにする方法がある。
【００１１】
しかし、前者では、例えば、二種類の位置情報の方式に対応するためには２ＬＳＩ分の回路規模、つまり、１６０万ゲートの回路規模が必要となり、回路規模の増大による価格の上昇を招くこととなる。また、後者では、回路規模の顕著な増大はないが現状のＬＳＩは流用できないため、ＬＳＩの再開発が必要となる。従って、早期のマルチディスクドライブの開発の困難となり、さらに、開発費用などを考えると価格面で不利となる。
【００１２】
そこで、回路規模をあまり大きくすること無く、安価に様々な方式の光ディスク・新規な方式の光ディスクに対応できるディスクドライブを提供することが本発明の課題である。
【００１３】
【課題を解決するための手段】
上記課題は、第１の形式で表現された第１のアドレス情報を有する第１の記録媒体と、第２の形式で表現された第２のアドレス情報を有する第２の記録媒体と、に対しデータの記録が可能な信号記録装置であって、前記第１の形式で表現されたアドレス情報を検出する第１の検出手段と、前記第２の形式で表現されたアドレス情報を検出する第２の検出手段と、前記第１の形式で表現された第１のアドレス情報を前記第２の形式の表現に変換する変換手段と、を備えた信号記録装置によって改善することができる。
【００１４】
【発明の実施の形態】
本発明の第１の実施例であるディジタル信号記録装置を図１を用いて説明する。なお、本ディジタル信号記録装置は、ＤＶＤ−Ｒ，ＤＶＤ−ＲＷ，ＤＶＤ+ＲＷへのライトを可能とするものである。図１はＡＤＩＰ−ＬＰＰ変換回路１１０を有している点、および、アナログフロントエンド１０４がＤＶＤ＋ＲＷ記録時には２値化されたＡＤＩＰ信号１０５を出力し、ＤＶＤ−ＲまたはＤＶＤ−ＲＷ記録時には２値化されたＬＰＰ信号１０６を出力する点で図４と異なり、後は全て共通であるため、共通の構成要素は説明を省略する。
【００１５】
図１に於いて、１０７は２値化されたＡＤＩＰ信号が入力され、アドレス情報の検出が行われるＡＤＩＰ検出回路、１０８はＡＤＩＰ検出回路で検出されたアドレス情報からＬＰＰを生成するＬＰＰ生成回路、１０９はＤＶＤ+ＲＷに対しては、ＬＰＰ生成回路１０８によって生成されたＬＰＰ信号を選択し、ＤＶＤ−ＲまたはＤＶＤ−ＲＷに対しては、ＡＦＥからの入力１０６を選択するスイッチ回路、１１０は、１０７、１０８、１０９から構成されるＡＤＩＰ−ＬＰＰ変換回路である。
【００１６】
次にエンコーダ回路１１９について説明する。１１２はスイッチ回路１０９からＬＰＰ信号として入力されたアドレス信号を検出するＬＰＰ検出回路であり、アドレス検出に従ったタイミング信号が変調回路（MODulator）１１１に送られる。変調回路１１１はＬＰＰ検出回路１１２からのタイミング信号に従って記録の開始終了を行う。
【００１７】
ここで、ＲＡＭ制御１１７から変調回路１１１に入力されるデータは図４において説明した手順と同様の手順で処理される。
【００１８】
以上説明したように、本実施例に拠ればスイッチ回路１０９をＬＰＰ生成回路１０８側に切り替えることにより、ＤＶＤ+ＲＷの記録を行うことが可能であり、ＡＦＥ１０４からの入力信号１０６側に切り替えることによりＤＶＤ−ＲおよびＤＶＤ−ＲＷの記録が可能となる。
【００１９】
なお、本実施例では、ＤＶＤ−Ｒ，ＤＶＤ−ＲＷ，ＤＶＤ+ＲＷを用いて説明を行ったが、本発明の適用はこれらの光ディスクに限られるものではなく、アドレスが異なる形式で記録されている２種類の記録媒体にデータを記録する装置、方法について本発明を適用しても良い。また、図１では、ＡＤＩＰ検出回路１０７とＬＰＰ生成回路１０８がＡＤＩＰ−ＬＰＰ変換回路１１０に含まれ、ＬＰＰ検出回路１１２がエンコーダ回路１１９に含まれる構成として説明したが、本発明はこれに限られるものではなく、ＡＤＩＰ検出回路１０７、ＬＰＰ生成回路１０８、ＬＰＰ検出回路１１２の全てが一の集積回路に含まれる構成としても良い。これらについては、以下の実施例についても同様である。
【００２０】
次に第１の実施例の動作タイミングについて図２及び図３を用いて説明する。図２はＤＶＤ＋ＲＷを記録する場合のタイミングチャート、図３はＤＶＤ−Ｒ，ＤＶＤ−ＲＷを記録するときのタイミングチャートである。
【００２１】
図２において２０１、２０２、２０５はＡＤＩＰ検出回路１０７でＡＤＩＰからアドレス検出を行うタイミングを示し、２０３、２０６はＬＰＰ生成回路１０８にてＬＰＰ信号をエンコード（変換）して出力するタイミングを示し、２０４、２０７はＬＰＰ検出回路１１２にてＬＰＰからアドレス信号を検出するタイミングを示し、２０８は変調回路１１１から記録データが出力されるタイミングを示す。また、図３において３０１、３０２、３０４はＬＰＰ検出回路１１２にてＬＰＰからアドレス信号を検出するタイミングを示し、３０３、３０５は変調回路１１１から記録データが出力されるタイミングを示す。なお、横軸方向の区切りはブロック（ＥＣＣブロック）単位の区切りを示す。
【００２２】
図２を具体的に説明する。まず、ＡＤＩＰ信号から、或るブロックｎに対応する４個のアドレス情報が検出され、ブロックｎに対応したアドレスが決定される（２０１）。次にブロックｎ+1についてＡＤＩＰからアドレスが決定される間（２０２）、同時に決定されたアドレスｎに対応してＬＰＰ方式にエンコード（変換）すると共に出力する（２０３）。出力されたアドレスｎに対するＬＰＰはＬＰＰ検出回路１１２に送られ１ブロック間遅れてアドレスｎが検出される（２０４）。アドレスｎが検出されたことにより、変調回路１１１からのライト開始のタイミングは確定できるので、（２０８）にてデータの記録を開始することができる。ＡＤＩＰからのアドレスの検出（２０１）、ＬＰＰへのエンコード（変換）とＬＰＰからのアドレス検出（２０３）（２０４）で２ブロック間の時間を消費するため、ｎのアドレスが検出された後、ｎ+２のアドレスに対応したデータを出力(２０８)すれば媒体上の位置と一致させることができる。
【００２３】
同様に、図３を具体的に説明する。入力されたアドレスｎに対するＬＰＰはＬＰＰ検出回路１１２に送られ１ブロック間かかってアドレスｎが検出される（３０１）。アドレスｎが検出されたことにより、変調回路１１１からのライト開始のタイミングは確定できるので、（３０３）にてデータの記録を開始することができる。ＬＰＰからのアドレス検出（３０１）で１ブロック間の時間を消費するため、ｎのアドレスが検出された後、ｎ+１のアドレスに対応したデータを出力(３０３)すれば媒体上の位置と一致させることができる。
【００２４】
次に本発明の第２の実施例であるディジタル信号記録装置を図５を用いて説明する。なお、本ディジタル信号記録装置は、ＤＶＤ−Ｒ，ＤＶＤ−ＲＷ，ＤＶＤ+ＲＷへのライトを可能とするものである。本実施例に於いて、ＬＰＰ検出回路５０７、ＡＤＩＰ生成回路５０８、スイッチ回路５０９、５０７,５０８,５０９から構成されるＬＰＰ−ＡＤＩＰ変換回路５１０、ＡＤＩＰ検出回路５１２を除いた構成は図１に示すディジタル信号記録装置と同一である。ＬＰＰ検出回路５０７は２値化されたＬＰＰ信号入力１０６から、アドレス情報を検出する。ＡＤＩＰ生成回路は、検出されたアドレス情報に従って２値化されたＡＤＩＰを生成する。スイッチ回路５０９はＤＶＤ＋ＲＷディスクに記録する場合は、アナログフロントエンドからの２値化されたＡＤＩＰ信号１０５を選択し、ＤＶＤ−ＲもしくはＤＶＤ−ＲＷディスクに記録する場合は、ＡＤＩＰ生成回路５０８の出力を選択する。５０９によって選択されたＡＤＩＰ信号はＡＤＩＰ検出回路５１２に送られる。ＡＤＩＰ検出回路５１２では、ＡＤＩＰからのアドレス情報の検出が行われ、記録制御のタイミングが確定する。ＡＤＩＰ検出回路からの制御タイミングに従って、変調回路１１１から記録信号が出力される。他の動作は図１の動作と共通となる。
【００２５】
以上、本実施例に拠ればスイッチ回路５０９をＡＤＩＰ生成回路側に切り替えることにより、ＤＶＤ−ＲおよびＤＶＤ−ＲＷの記録を行うことが可能であり、ＡＦＥ１０４からの入力信号１０６側に切り替えることによりＤＶＤ+ＲＷの記録が可能となる。
【００２６】
次に、本発明の第３の実施例であるディジタル信号記録再生装置を図６を用いて説明する。１０１，１０２，１０３の各要素は図１の記録装置と共通である。６０４アナログフロントエンドはディスクのデータトラックの信号を２値化して復調回路６３２に送る機能が図１のアナログフロントエンド１０４に付け加えられている点が１０４との相違点であり、後の動作は共通である。１０７,１０８,１０９,１１０,１１１,１１２,１１３,１１４は記録に関する構成要素であり、記録時の動作、及び各構成は、図１の、１０７,１０８,１０９,１１０,１１１,１１２,１１３,１１４と共通である。入出力ＩＦ６１５は図１の入力ＩＦ１１５に追加して再生信号の出力もとりおこなう。以下、再生に関する構成要素について説明する。
【００２７】
復調回路６３２は入力された再生信号を復調し、メインデータと付加されたＩＤの各データを再生する。誤り訂正処理回路６３１は再生されたデータに対して誤り訂正処理を行う。訂正処理が施されたデータに対してはデスクランブラ６３０でデスクランブルが施された上で入出力ＩＦ６１５を介して端子６１８から出力される。
【００２８】
本記録再生装置では、記録時は６０４,１０７,１０８,１０９,１１０,１１２の機能によりアドレス情報を検出でき、ＤＶＤ−Ｒ，ＤＶＤ−ＲＷ，ＤＶＤ＋ＲＷの種類問わずにディスク上の所望の場所にデータをライトすることができる。また、再生時はＤＶＤ−Ｒ，ＤＶＤ−ＲＷ，ＤＶＤ+ＲＷの種類問わずに復調回路６３２によりアドレス情報を含んでいるＩＤを再生できるので、これに基づき所望の場所からデータを再生することが可能となる。
【００２９】
従って、本実施例に拠れば、記録時も再生時もＤＶＤ−Ｒ，ＤＶＤ−ＲＷ，ＤＶＤ+ＲＷの種類問わずにアドレスが検出可能であり、ディスクの所望の個所に対する読み書きが可能である。
【００３０】
【発明の効果】
本発明により、第１の規格の光ディスクに対応したエンコーダ回路に変換回路を付加することで、簡易に第２の規格の光ディスクに対する記録が可能となるという効果がある。
【図面の簡単な説明】
【図１】第１の実施例であるディジタル信号記録装置を示すブロック図
【図２】第１の実施例でのタイミング図
【図３】第１の実施例でのタイミング図
【図４】従来例であるディジタル信号記録装置を示すブロック図
【図５】第２の実施例であるディジタル信号記録装置を示すブロック図
【図６】第３の実施例であるディジタル信号記録装置を示すブロック図
【符号の説明】
１０５…２値化されたＡＤＩＰ信号
１０６…２値化されたＬＰＰ信号
１０７…ＡＤＩＰ検出回路
１０８…ＬＰＰ生成回路
１０９…スイッチ回路
１１０…ＡＤＩＰ−ＬＰＰ変換回路
１１２…ＬＰＰ検出回路
５０７…ＬＰＰ検出回路
５０８…ＡＤＩＰ生成回路
５１２…ＡＤＩＰ検出回路
【図１】
0003799265.tif 000002
【図２】
0003799265.tif 000003
【図３】
0003799265.tif 000004
【図４】
0003799265.tif 000005
【図５】
0003799265.tif 000006
【図６】
0003799265.tif 000007